(57)【要約】      （修正有）【課題】可動式コイン収容及び放出装置を提供する。【解決手段】可動式コイン収容及び放出装置は、コインを収容するために用いられ、外部から入力されたコインを受け取るための入力口を有し、底部には下部開口部が形成されているコイン収容ボックス１０と、後側がコイン収容ボックスの下部開口部箇所にあるピボットに枢着されているボトムカバーと、コイン収容ボックスがブラケットに沿って上下に移動するブラケットと、ボトムカバーの下方に位置し、前端がボトムカバーの底部に枢着され、後端がブラケットの底部に枢着されているコネクティングロッドと、コイン収容ボックスを上下に引っ張るために用いられているコイン収容ボックス駆動モジュールと、を備えている。コイン収容ボックスが上に移動すると、下部開口部を開き、コインが下部開口部から放出される。コイン収容ボックスが下に移動すると下部開口部を閉塞する。【選択図】図１
0003232934.tif 000002
【実用新案登録請求の範囲】
【請求項１】
コインを収容するための中空スペースを有するコイン収容ボックスであって、前記コイン収容ボックスの一側には外部から入力されたコインを受け取るための入力口が形成されて、前記中空スペースは前記コイン収容ボックスの底部に下部開口部が形成されているコイン収容ボックスと、
前記コイン収容ボックスの前記下部開口部に位置し、後側は前記コイン収容ボックスの前記下部開口部箇所に配置されているピボットに枢動可能に枢着され、前記下部開口部を開閉するために用いられているボトムカバーと、
前記ボトムカバーの下方に位置し、前端は前記ボトムカバーの底部に枢動可能に枢着されているコネクティングロッドと、
前記コイン収容ボックスの後側に位置しているブラケットであって、前記コイン収容ボックスは前記ブラケットに可動に連結され、前記ブラケットに沿って上下に移動し、前記コネクティングロッドの後端は前記ブラケットの底部に枢動可能に枢着されているブラケットと、
前記コイン収容ボックスに連結され、前記コイン収容ボックスを上下に引っ張るために用いられるコイン収容ボックス駆動モジュールであって、前記コイン収容ボックスが上に移動すると前記ボトムカバー及び前記コネクティングロッドが上に引っ張られ、前記ボトムカバーの前側が前記下部開口部から離間して前記下部開口部を開き、コインが前記下部開口部から放出され、前記コイン収容ボックスが下に移動すると前記ボトムカバー及び前記コネクティングロッドが下に押され、前記ボトムカバーの前側が前記下部開口部に進入して前記下部開口部を閉塞するコイン収容ボックス駆動モジュールと、を備えていることを特徴とする可動式コイン収容及び放出装置。
【請求項２】
前記ブラケットは少なくとも１つの支持ロッドを備え、前記コイン収容ボックスの後側には接続部材が設置され、各前記支持ロッドは前記接続部材に位置している対応する貫通孔を貫通し、前記コイン収容ボックスが前記接続部材により前記ブラケットの各前記支持ロッドに沿って上下に移動することを特徴とする請求項１に記載の可動式コイン収容及び放出装置。
【請求項３】
前記ブラケットの底部には前方に延伸しているベースが形成され、前記コネクティングロッドは前記ベースの上方に配置されていることを特徴とする請求項１に記載の可動式コイン収容及び放出装置。
【請求項４】
前記コイン収容ボックス駆動モジュールはロープと、リールと、第一モーターと、を備え、前記リールには前記ロープが巻装されていると共に前記コイン収容ボックスの上方に位置し、前記ロープの一端は前記リールから下方に延伸していると共に前記コイン収容ボックスの上端に連結され、前記リールは前記第一モーターにより駆動されて回転し、前記ロープが前記コイン収容ボックスを上下に引っ張るように駆動されることを特徴とする請求項１に記載の可動式コイン収容及び放出装置。
【請求項５】
前記ブラケットの上方に固定されている駆動ユニットをさらに備え、前記コイン収容ボックス駆動モジュールの前記第一モーター及び前記リールは前記駆動ユニット内に位置し、前記ロープの一端は前記駆動ユニットの底部から下向きに突出して前記コイン収容ボックスに連結されていることを特徴とする請求項４に記載の可動式コイン収容及び放出装置。
【請求項６】
前記ロープは前記駆動ユニットから突出する部分が伸縮式シリンダーにより被覆され、前記伸縮式シリンダーは前記駆動ユニットの下方に固定されている固定式シリンダー、及び下端が前記コイン収容ボックスに固定されるように連結されている可動式シリンダーを含み、前記可動式シリンダーの上端は前記固定式シリンダーに可動に嵌合し、前記コイン収容ボックスが上下に移動すると前記可動式シリンダーが上下に移動するように連動されることを特徴とする請求項５に記載の可動式コイン収容及び放出装置。
【請求項７】
前記入力口の外側にはコイン補充スロットが連結され、外部のコインは前記コイン補充スロットにより前記コイン収容ボックス内に入力されることを特徴とする請求項１に記載の可動式コイン収容及び放出装置。
【請求項８】
ユーザーが前記コイン収容ボックス内にあるコインを観察可能にするために、前記コイン収容ボックスの一側には透明部を有していることを特徴とする請求項１に記載の可動式コイン収容及び放出装置。
【請求項９】
スライドレール及び駆動機構からなる天井走行クレーンモジュールをさらに備え、前記駆動ユニットの上方には前記スライドレールに装設するための複数のローラーが設置され、前記駆動機構は前記駆動ユニットを駆動して前記スライドレールに沿って移動させるために用いられ、前記ブラケット及び前記コイン収容ボックスを連動させることを特徴とする請求項５に記載の可動式コイン収容及び放出装置。
【請求項１０】
前記駆動機構は第二モーターを適用して前記スライドレール方向に沿って配置されているベルトを駆動し、前記ベルトが前記駆動ユニットを連動して前記スライドレールに沿って移動させることを特徴とする請求項９に記載の可動式コイン収容及び放出装置。
【請求項１１】
前記スライドレールの一側には左側バッフルボード及び前記左側バッフルボードの右方に位置している右側バッフルボードが設置され、前記駆動ユニットには左センサー及び前記左センサーの右方に位置している右センサーが配置され、前記左センサーは前記左側バッフルボードを感知し、前記駆動ユニットを前記左側バッフルボード箇所に位置決めするために用いられ、前記右センサーは前記右側バッフルボードを感知し、前記駆動ユニットを前記右側バッフルボード箇所に位置決めするために用いられていることを特徴とする請求項９に記載の可動式コイン収容及び放出装置。
【考案の詳細な説明】
【技術分野】
【０００１】
本考案は、コイン収容及び放出装置に関し、更に詳しくは、可動式コイン収容及び放出装置に関する。
【背景技術】
【０００２】
従来技術による業務用ゲーム機では、ゲームにおいてコインが非常に重要な道具となっており、多くの業務用ゲーム機でコインを報酬としている。全ゲーム過程でゲーム物品（例えば、ボールやコイン）が筐体中で異なる動きをする。業務用ゲーム機は固定位置にコイン出口が設けられ、プレイヤーがゲーム物品を特定の経路を通過させたり、業務用ゲーム機の画面を操作して一定の条件に達する等のゲーム中で特定の条件に達すると、業務用ゲーム機がコインをコイン出口から到筐体に出力し（例えば、コインプッシュ台）、これら出力されたコインをプレイヤーに報酬として贈る。
【考案の概要】
【考案が解決しようとする課題】
【０００３】
しかしながら、前述した従来の技術では、業務用ゲーム機のコイン出口の位置は不変に固定されており、コイン出口は通常筐体面の側面に位置し、筐体面の高さと同じであるかそれに近いため、コインもコイン出口からパネルまで横方向に移動するように決められている。その視覚効果は古臭く、コイン出口の位置も変更できないため、ゲームへの応用を多様化できなかった。
【０００４】
そこで、本考案者は上記の欠点が改善可能と考え、鋭意研究した結果、可動式コイン収容及び放出装置を見出した。
【０００５】
本考案は前記技術的課題に鑑みて開発されたものであり、可動式コイン収容及び放出装置を提供することを目的とする。換言すれば、新しい形態の業務用ゲーム機のコイン収容及び放出機構を提供する。独立して開閉するコイン収容ボックスに外部から入力されたコインを予め収容し、前記コイン収容ボックスは筐体上方の特定の位置に懸装されている。プレイヤーがゲームで特定の条件に達すると、システムは天井走行クレーンモジュールを使用して前記コイン収容ボックスを必要な位置まで移動させ、前記コイン収容ボックスを開いてコインを下に向けて筐体上に放出し、報酬とする。これにより、より楽しいゲーム効果を演出する。本願に係るコイン収容ボックスは必要に応じてコインの放出位置を変更し、より多様な応用及びゲーム効果を達成している。
【課題を解決するための手段】
【０００６】
上記課題を解決するために、本考案のある態様の可動式コイン収容及び放出装置は、
コインを収容するための中空スペースを有するコイン収容ボックスであって、前記コイン収容ボックスの一側には外部から入力されたコインを受け取るための入力口が形成されて、前記中空スペースは前記コイン収容ボックスの底部に下部開口部が形成されているコイン収容ボックスと、
前記コイン収容ボックスの前記下部開口部に位置し、後側は前記コイン収容ボックスの前記下部開口部箇所に配置されているピボットに枢動可能に枢着され、前記下部開口部を開閉するために用いられているボトムカバーと、
前記ボトムカバーの下方に位置し、前端は前記ボトムカバーの底部に枢動可能に枢着されているコネクティングロッドと、
前記コイン収容ボックスの後側に位置しているブラケットであって、前記コイン収容ボックスは前記ブラケットに可動に連結され、前記ブラケットに沿って上下に移動し、前記コネクティングロッドの後端は前記ブラケットの底部に枢動可能に枢着されているブラケットと、
前記コイン収容ボックスに連結され、前記コイン収容ボックスを上下に引っ張るために用いられるコイン収容ボックス駆動モジュールであって、前記コイン収容ボックスが上に移動すると前記ボトムカバー及び前記コネクティングロッドが上に引っ張られ、前記ボトムカバーの前側が前記下部開口部から離間して前記下部開口部を開き、コインが前記下部開口部から放出され、前記コイン収容ボックスが下に移動すると前記ボトムカバー及び前記コネクティングロッドが下に押され、前記ボトムカバーの前側が前記下部開口部に進入して前記下部開口部を閉塞するコイン収容ボックス駆動モジュールと、を備えている。
【０００７】
本明細書及び図面の記載により、少なくとも、以下の事項が明らかとなる。
【図面の簡単な説明】
【０００８】
【図１】本考案の部材組立を示した概略構成図である。
【図２】本考案の部材組立を示した右側概略図である。
【図３】本考案の部材組立を示した背面概略図である。
【図４】本考案のコイン収容ボックス駆動モジュールを示した概略図である。
【図５】本考案のコイン収容ボックスの底部を示した概略図である。
【図６】本考案のコイン収容ボックスの底部を開いた状態を示した概略図である。
【図７】図６に示す右側概略図である。
【図８】本考案の部材組立の上面から見た概略図である。
【図９】本考案の駆動ユニットと天井走行クレーンモジュールの組立を示した概略図である。
【図１０】本考案に適用されている概略図である。
【考案を実施するための形態】
【０００９】
以下、本開示の実施形態について図面を用いて説明する。なお、本開示は、下記の実施形態に何ら限定されることはなく、本開示の技術的範囲に属する限り種々の形態を採りうる。
【００１０】
（図示せず）
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１１】
以下、本考案の可動式コイン収容及び放出装置について、図１乃至図１１を参照しながら説明する。その部材は以下のとおりである。
【００１２】
コイン収容ボックス１０はコイン３を収容するための中空スペース１１を有し、前記コイン収容ボックス１０の一側には外部から入力されたコイン３を受け取るための入力口１２が形成され、前記中空スペース１１は前記コイン収容ボックス１０の底部に下部開口部１３が形成されている。前記入力口１２の外側はコイン補充スロット１４に連結され、外部からのコイン３は前記コイン補充スロット１４を経て前記コイン収容ボックス１０内に入力される。好ましくは、ユーザーが前記コイン収容ボックス１０内にあるコイン３を観察可能にするために、前記コイン収容ボックス１０の一側（例えば前側）には透明部１５を有している。
【００１３】
ボトムカバー２０は前記コイン収容ボックス１０の前記下部開口部１３に位置し、後側は前記コイン収容ボックス１０の前記下部開口部１３箇所に配置されているピボット１３１に枢動可能に枢着され、前記ボトムカバー２０は前記下部開口部１３を開閉するために用いられている。
【００１４】
コネクティングロッド３１は前記ボトムカバー２０の下方に位置し、前記コネクティングロッド３１の前端は前記ボトムカバー２０の底部に枢動可能に枢着されている（図５参照）。
【００１５】
ブラケット３０は前記コイン収容ボックス１０の後側に位置し、前記コイン収容ボックス１０は前記ブラケット３０に可動に連結され、前記ブラケット３０に沿って上下に移動する。前記コネクティングロッド３１の後端は前記ブラケット３０の底部に枢動可能に枢着されている。前記ブラケット３０の底部には前方に延伸しているベース３２に形成され、前記コネクティングロッド３１は前記ベース３２の上方に配置されている。前記ブラケット３０は少なくとも１つの支持ロッド３５を備え、前記コイン収容ボックス１０の後側には接続部材１６が設置され、各前記支持ロッド３５は前記接続部材１６に位置している対応する貫通孔１６１を貫通し、前記コイン収容ボックス１０が前記接続部材１６により前記ブラケット３０の各前記支持ロッド３５に沿って上下に移動する。
【００１６】
コイン収容ボックス駆動モジュール４０は前記コイン収容ボックス１０に連結され、前記コイン収容ボックス１０を上下に引っ張るために用いられている。前記コイン収容ボックス１０が上に移動すると前記ボトムカバー２０及び前記コネクティングロッド３１が上に引っ張られ、前記ボトムカバー２０の前側が前記下部開口部１３から離間して前記下部開口部１３を開き、前記コイン収容ボックス１０内にあるコイン３が前記下部開口部１３から放出される（図６と図７参照）。前記コイン収容ボックス１０が下に移動すると前記ボトムカバー２０及び前記コネクティングロッド３１が下に押され、前記ボトムカバー２０の前側が前記下部開口部１３に進入して前記下部開口部１３を塞ぎ、コイン３が前記コイン収容ボックス１０内に収容されて放出されなくなる（図１乃至図３参照）。
【００１７】
図４に示すように、前記コイン収容ボックス駆動モジュール４０はロープ４１と、リール４２と、第一モーター４３と、を備えている。前記リール４２には前記ロープ４１が巻装されていると共に前記コイン収容ボックス１０の上方に位置し、前記ロープ４１の一端は前記リール４２から下方に延伸していると共に前記コイン収容ボックス１０の上端に連結されている。前記リール４２は前記第一モーター４３により回転するように駆動され、前記ロープ４１が前記コイン収容ボックス１０を上下に引っ張るように駆動される。
【００１８】
駆動ユニット５０は前記ブラケット３０の上方に固定され、前記コイン収容ボックス駆動モジュール４０の前記第一モーター４３及び前記リール４２は前記駆動ユニット５０内に位置している。前記ロープ４１の一端は前記駆動ユニット５０の底部から下向きに突出して前記コイン収容ボックス１０に連結されている。
【００１９】
前記ロープ４１は前記駆動ユニット５０に突出する部分が伸縮式シリンダー６０により被覆され、前記伸縮式シリンダー６０は前記駆動ユニット５０の下方に固定されている固定式シリンダー６１、及び下端が前記コイン収容ボックス１０に固定されるように連結されているを備え、前記可動式シリンダー６２の上端は前記固定式シリンダー６１に可動に嵌合している。前記コイン収容ボックス１０が上下に移動すると前記可動式シリンダー６２が上下に移動するように連動される。
【００２０】
天井走行クレーンモジュール７０はスライドレール７１及び駆動機構８０を備え、前記駆動ユニット５０の上方には前記スライドレール７１に装設するための複数のローラー５１が設置されている。前記駆動機構８０は前記駆動ユニット５０を駆動して前記スライドレール７１に沿って移動させるために用いられ、前記ブラケット３０及び前記コイン収容ボックス１０を連動させる。前記駆動機構８０が第二モーター８１により前記スライドレール７１の方向に沿って配置されているベルト８２を駆動することで、前記ベルト８２が前記駆動ユニット５０を連動して前記スライドレール７１に沿って移動させる。
【００２１】
図８と図９を参照すれば、前記スライドレール７１の一側には左側バッフルボード７２、及び前記左側バッフルボード７２の右方に位置している右側バッフルボード７３が設置されている。前記駆動ユニット５０には左センサー５２、及び前記左センサー５２の右方に位置している右センサー５３が配置されている。前記左センサー５２は前記左側バッフルボード７２を感知し、前記駆動ユニット５０を前記左側バッフルボード７２箇所に位置決めするために用いられている。前記右センサー５３は前記右側バッフルボード７３を感知し、前記駆動ユニット５０を前記右側バッフルボード７３箇所に位置決めするために用いられている。
【００２２】
図１０は本願の装置を筐体１００に適用したものを図示している。前記筐体１００はコイン３を前記コイン補充スロット１４に入力して前記コイン収容ボックス１０内に収容するためのコイン補充ポート１０５を備え、前記筐体１００のパネル１０１は各種ゲーム物品（例えば、他のコイン）を異なる経路で移動させるためのゲームフィールド１０２を有している。プレイヤーがゲームをプレイし、他のコインを特定の通路に進入させたり、筐体１００の画面（図示省略）を操作して特定の条件に達する等のゲーム物品が前記ゲームフィールド１０２中で特定の条件に達すると、前記天井走行クレーンモジュール７０が前記コイン収容ボックス１０を駆動して前記筐体１００のコインプッシャー１０３の中央上方まで横移動させ、その後前記コイン収容ボックス１０の前記ボトムカバー２０が開かれて内部にあるコイン３が前記コインプッシャー１０３に放出され、報酬として用いられる。
【００２３】
さらに、本願の利点は新しい形態の業務用ゲーム筐体のコイン収容及び放出機構を提供し、独立して開閉するコイン収容ボックスに外部から入力されたコインを予め収容する。前記コイン収容ボックスは筐体の上方の特定の位置に懸装され、プレイヤーがゲームで特定の条件に達すると、システムが天井走行クレーンモジュールを適用して前記コイン収容ボックスを必要な位置まで移動させ、前記コイン収容ボックスを開いてコインを下に向けて筐体上に放出し、報酬として用いる。これにより、より楽しいゲーム効果を演出する。本願に係るコイン収容ボックスは需要に応じてコインの放出位置を変更可能であり、さらに多様な応用及びゲーム効果を達成している。
【００２４】
上述したように、本願は人に優しい設計であり、実際の需要を満たしている。従来の欠点を具体的に改善し、従来技術に比べて進歩のブレイクスルーを実現し、効果を促進しており、これは容易に達成できるものではない。本願は国内外の文献や市場に公開も掲載もされたことはなく、実用新案権取得要件を満たすものである。
【００２５】
なお、本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００２６】
３  コイン
１０  コイン収容ボックス
１１  中空スペース
１２  入力口
１３  下部開口部
１４  コイン補充スロット
１５  透明部
１６  接続部材
２０  ボトムカバー
３０  ブラケット
３１  コネクティングロッド
３２  ベース
３５  支持ロッド
４０  コイン収容ボックス駆動モジュール
４１  ロープ
４２  リール
４３  第一モーター
５０  駆動ユニット
５１  ローラー
５２  左センサー
５３  右センサー
６０  伸縮式シリンダー
６１  固定式シリンダー
６２  可動式シリンダー
７０  天井走行クレーンモジュール
７１  スライドレール
７２  左側バッフルボード
７３  右側バッフルボード
８０  駆動機構
８１  第二モーター
８２  ベルト
１００  筐体
１０１  パネル
１０２  ゲームフィールド
１０３  コインプッシャー
１０５  コイン補充ポート
１３１  ピボット
１６１  貫通孔
【図１】
0003232934.tif 000003
【図２】
0003232934.tif 000004
【図３】
0003232934.tif 000005
【図４】
0003232934.tif 000006
【図５】
0003232934.tif 000007
【図６】
0003232934.tif 000008
【図７】
0003232934.tif 000009
【図８】
0003232934.tif 000010
【図９】
0003232934.tif 000011
【図１０】
0003232934.tif 000012